(57)【要約】【課題】中蓋の表面に残留するパウダー化粧料によってパウダー化粧料容器が汚れることのないパウダー化粧料容器を提供すること。【解決手段】パウダー化粧料が収容される容器本体２と、この容器本体２を覆ってパウダー化粧料の収容部３を区画、形成するとともに、パウダー化粧料が排出される開口部４１を形成した中蓋４と、この中蓋４に沿って移動可能に配設して開口部４１を開閉するようにする開閉部材５と、蓋体６とからなり、開閉部材５に、中蓋４の表面に摺接する突条部５１を形成する。【選択図】図２
0003163370.tif 000002
【実用新案登録請求の範囲】
【請求項１】
パウダー化粧料が収容される容器本体と、該容器本体を覆ってパウダー化粧料の収容部を区画、形成するとともに、パウダー化粧料が排出される開口部を形成した中蓋と、該中蓋に沿って移動可能に配設して前記開口部を開閉するようにする開閉部材と、蓋体とからなり、前記開閉部材に、中蓋の表面に摺接する突条部を形成してなることを特徴とするパウダー化粧料容器。
【請求項２】
前記突条部を、前記開閉部材が前記開口部を閉じた状態の位置にあるときに前記突条部が開口部の外周を囲むように環状に形成したことを特徴とする請求項１記載のパウダー化粧料容器。
【請求項３】
パウダー化粧料が収容される容器本体と、該容器本体を覆ってパウダー化粧料の収容部を区画、形成するとともに、パウダー化粧料が排出される開口部を形成した中蓋と、該中蓋に沿って移動可能に配設して前記開口部を開閉するようにする開閉部材と、蓋体とからなり、前記中蓋に凹部を形成し、該凹部に前記開口部を形成し、前記開閉部材が前記凹部を覆うようにしたことを特徴とするパウダー化粧料容器。
【請求項４】
前記開口部を、丸孔状の開口部と、長孔状の開口部とで構成したことを特徴とする請求項１、２又は３記載のパウダー化粧料容器。
【請求項５】
前記開閉部材を、中蓋に設けた回動軸を中心として回動可能に配設したことを特徴とする請求項１、２、３又は４記載のパウダー化粧料容器。
【考案の詳細な説明】
【技術分野】
【０００１】
本考案は、パウダー化粧料容器に関し、特に、パウダー化粧料の収容部を区画、形成するとともに、パウダー化粧料が排出される開口部を形成した中蓋を備えたパウダー化粧料容器に関するものである。
【背景技術】
【０００２】
従来、パウダー化粧料容器として、適量のパウダー化粧料をパフや刷毛などの塗布部材に付着させることができるように、パウダー化粧料の収容部を区画、形成する中蓋を備えたパウダー化粧料容器が提案されている（特許文献１及び２参照）。
【０００３】
ところで、このパウダー化粧料容器は、中蓋によって適量のパウダー化粧料をパフや刷毛などの塗布部材に付着させることができる利点を有する反面、携帯時にパウダー化粧料が中蓋上に漏れ出てきてパフや刷毛などの塗布部材に付着し、パウダー化粧料容器が汚れるという問題があった。
【先行技術文献】
【特許文献】
【０００４】
【特許文献１】実公昭６１−１８８１６号公報
【特許文献２】特許第３９２４４９３号公報
【考案の概要】
【考案が解決しようとする課題】
【０００５】
この問題に対処するために、中蓋に形成したパウダー化粧料が排出される開口部を開閉することができる開閉部材を配設することも考えられるが、中蓋に全面的に開口部を形成した場合には、開閉部材の操作性やパウダー化粧料容器としての使用性の点で問題があり、また、中蓋に部分的に開口部を形成した場合には、中蓋の表面に残留するパウダー化粧料によってパウダー化粧料容器が汚れたり、中蓋と開閉部材の間にパウダー化粧料が入り込み、開閉部材の操作性が悪くなる。
【０００６】
本考案は、上記のパウダー化粧料容器の有する問題点に鑑み、携帯時にパウダー化粧料が中蓋上に漏れ出ることを防止するための開閉部材の操作性やパウダー化粧料容器としての使用性の点を考慮して、中蓋に部分的に開口部を形成するようにし、かつ、中蓋の表面に残留するパウダー化粧料によってパウダー化粧料容器が汚れることのないパウダー化粧料容器を提供することを目的とする。
【課題を解決するための手段】
【０００７】
上記目的を達成するため、本考案のパウダー化粧料容器は、パウダー化粧料が収容される容器本体と、該容器本体を覆ってパウダー化粧料の収容部を区画、形成するとともに、パウダー化粧料が排出される開口部を形成した中蓋と、該中蓋に沿って移動可能に配設して前記開口部を開閉するようにする開閉部材と、蓋体とからなり、前記開閉部材に、中蓋の表面に摺接する突条部を形成してなることを特徴とする。
【０００８】
この場合において、前記突条部を、前記開閉部材が前記開口部を閉じた状態の位置にあるときに前記突条部が開口部の外周を囲むように環状に形成することができる。
【０００９】
また、本考案のパウダー化粧料容器は、パウダー化粧料が収容される容器本体と、該容器本体を覆ってパウダー化粧料の収容部を区画、形成するとともに、パウダー化粧料が排出される開口部を形成した中蓋と、該中蓋に沿って移動可能に配設して前記開口部を開閉するようにする開閉部材と、蓋体とからなり、前記中蓋に凹部を形成し、該凹部に前記開口部を形成し、前記開閉部材が前記凹部を覆うようにしたことを特徴とする。
【００１０】
これらの場合において、前記開口部を、丸孔状の開口部と、長孔状の開口部とで構成することができる。
【００１１】
また、前記開閉部材を、中蓋に設けた回動軸を中心として回動可能に配設することができる。
【考案の効果】
【００１２】
本考案のパウダー化粧料容器によれば、パウダー化粧料が収容される容器本体と、該容器本体を覆ってパウダー化粧料の収容部を区画、形成するとともに、パウダー化粧料が排出される開口部を形成した中蓋と、該中蓋に沿って移動可能に配設して前記開口部を開閉するようにする開閉部材と、蓋体とからなるパウダー化粧料容器であって、前記開閉部材に、中蓋の表面に摺接する突条部を形成することにより、パウダー化粧料が排出される開口部を開閉部材で閉じておくことによって、携帯時にパウダー化粧料が中蓋上に漏れ出ること、さらに、中蓋の表面に残留するパウダー化粧料によってパウダー化粧料容器が汚れることを防止することができるとともに、中蓋の表面に摺接する開閉部材に形成した突条部によって、中蓋に沿って移動する開閉部材の移動抵抗を小さくすることができ、中蓋の操作性を良好に維持することができる。
【００１３】
また、前記突条部を、前記開閉部材が前記開口部を閉じた状態の位置にあるときに前記突条部が開口部の外周を囲むように環状に形成することにより、開閉部材が開口部を閉じた状態の位置にあるときに、開口部を実質的に密閉状態にすることができ、携帯時にパウダー化粧料が中蓋上に漏れ出ることをより確実に防止することができる。
【００１４】
また、パウダー化粧料が収容される容器本体と、該容器本体を覆ってパウダー化粧料の収容部を区画、形成するとともに、パウダー化粧料が排出される開口部を形成した中蓋と、該中蓋に沿って移動可能に配設して前記開口部を開閉するようにする開閉部材と、蓋体とからなり、前記中蓋に凹部を形成し、該凹部に前記開口部を形成し、前記開閉部材が前記凹部を覆うようにすることにより、パウダー化粧料が排出される開口部を開閉部材で閉じておくことによって、携帯時にパウダー化粧料が中蓋上に漏れ出ること、さらに、中蓋の表面に残留するパウダー化粧料によってパウダー化粧料容器が汚れることを防止することができ、特に、中蓋の表面に残留するパウダー化粧料を、中蓋の表面に摺接する開閉部材によって浚えて中蓋に形成した凹部に落とし込み、当該凹部を開閉部材で覆うことによって、中蓋の表面に残留するパウダー化粧料を実質的になくして、パウダー化粧料容器が汚れることをより確実に防止することができる。
【００１５】
また、前記開口部を、丸孔状の開口部と、長孔状の開口部とで構成することにより、中蓋の表面に残留するパウダー化粧料を、中蓋の表面に摺接する開閉部材によって浚えて長孔状の開口部からパウダー化粧料の収容部に回収することができ、中蓋の表面に残留するパウダー化粧料をなくして、パウダー化粧料容器が汚れることをより確実に防止することができる。
【００１６】
また、前記開閉部材を、中蓋に設けた回動軸を中心として回動可能に配設することにより、開閉部材の操作性を良好にすることができる。
【図面の簡単な説明】
【００１７】
【図１】本考案のパウダー化粧料容器の一実施例を示し、（ａ）は蓋体を外した状態の平面図、（ｂ）は全体正面図である。
【図２】同パウダー化粧料容器の部分拡大正面断面図である。
【図３】同パウダー化粧料容器の中蓋を示し、（ａ）は平面図、（ｂ）は正面図、（ｃ）は底面図である。
【図４】同パウダー化粧料容器の開閉部材を示し、（ａ）は平面図、（ｂ）は正面図、（ｃ）は底面図、（ｄ）は側面図、（ｅ）は要部の拡大図である。
【図５】本考案のパウダー化粧料容器の変形実施例のパウダー化粧料容器の中蓋を示し、（ａ）は平面図、（ｂ）は正面図、（ｃ）は底面図である。
【考案を実施するための形態】
【００１８】
以下、本考案のパウダー化粧料容器の実施の形態を、図面に基づいて説明する。
【実施例１】
【００１９】
図１〜図４に、本考案のパウダー化粧料容器の一実施例を示す。
このパウダー化粧料容器１は、ポリプロピレン、直鎖状低密度ポリエチレン、ＡＳ樹脂等の各種の合成樹脂からなり、パウダー化粧料が収容される容器本体２と、この容器本体２を覆ってパウダー化粧料の収容部３を区画、形成するとともに、パウダー化粧料が排出される開口部４１を形成した中蓋４と、この中蓋４に沿って移動可能に配設して開口部４１を開閉するようにする開閉部材５と、蓋体６とからなり、開閉部材５に、中蓋４の表面に摺接する突条部５１を形成するようにしている。
【００２０】
この場合において、突条部５１は、高さ０．１〜０．５ｍｍ程度、好ましくは、０．２〜０．３ｍｍ程度の断面が三角形状又は半円形状に形成するようにしている。
【００２１】
また、突条部５１は、開閉部材５に形成する突条部５１を、開閉部材５が開口部４１を閉じた状態の位置にあるときに突条部５１が開口部４１の外周を囲むように環状に形成するようにしている。
これにより、開閉部材５が開口部４１を閉じた状態の位置にあるときに、開口部４１を実質的に密閉状態にすることができ、携帯時にパウダー化粧料が中蓋４上に漏れ出ることを防止することができる。
【００２２】
なお、開閉部材５には、開閉部材５を中蓋４に沿って移動する際に保持する操作部５２としてのつまみを形成する。
また、開閉部材５の裏面側には、上記突条部５１と、操作部５２を挟んだ対称位置に、同様の突条部５５を形成することにより、開閉部材５の操作性を良好にすることができる。
【００２３】
また、中蓋４に凹部４２を形成し、この凹部４２に開口部４１を形成し、開閉部材５が凹部４２を覆うようにするようにしている。
これにより、中蓋４の表面に残留するパウダー化粧料を、中蓋４の表面に摺接する開閉部材５に形成した突条部５１によって浚えて中蓋４に形成した凹部４２に落とし込み、凹部４２を開閉部材５で覆うことによって、中蓋４の表面に残留するパウダー化粧料を実質的になくして、パウダー化粧料容器１が汚れることを防止することができる。
【００２４】
ところで、本実施例においては、開口部を、複数個の丸孔状の開口部４１で構成しているが、図５に示す変形実施例のように、開口部を、複数個の丸孔状の開口部４１と、径方向に形成した長孔状の開口部４５とで構成することもできる。
これにより、図５に示す変形実施例のように、中蓋４に形成する凹部４２を省略した場合でも、中蓋４の表面に残留するパウダー化粧料を、中蓋４の表面に摺接する開閉部材５に形成した突条部５１によって浚えて長孔状の開口部４５からパウダー化粧料の収容部３に回収することができ、中蓋４の表面に残留するパウダー化粧料をなくして、パウダー化粧料容器１が汚れることを防止することができる。
なお、図５に示す変形実施例は、中蓋４に形成する凹部４２を省略した場合についてのものであるが、凹部４２を形成した中蓋４の場合でも、同様に、長孔状の開口部４５を形成することにより、中蓋４の表面に残留するパウダー化粧料を、中蓋４の表面に摺接する開閉部材５に形成した突条部５１によって浚えて長孔状の開口部４５からパウダー化粧料の収容部３に回収することができ、中蓋４の表面に残留するパウダー化粧料をなくして、パウダー化粧料容器１が汚れることを防止することができる。
【００２５】
また、開閉部材５は、中蓋４に設けた回動軸４３を中心として回動可能に配設するようにしている。
これにより、開閉部材５の操作性を良好にすることができる。
なお、本実施例においては、開閉部材５に形成した軸孔５３を、中蓋４に設けた回動軸４３に嵌合することにより、開閉部材５を回動可能に配設するようにしているが、開閉部材５を回動可能に配設する機構はこれに限定されず、また、開閉部材５を直線方向に摺動可能に配設することもできる。
【００２６】
また、本実施例においては、中蓋４に設けたストッパ４４により、開閉部材５の回転角を規制するようにしている。
そして、開閉部材５に形成した係止突起５４ａ、５４ｂを中蓋４に設けたストッパ４４に係止する（ここで、一方の係止突起５４ａは、開閉部材５が開口部４１を閉じた状態の位置にあるときにストッパ４４に係止し、他方の係止突起５４ｂは、開閉部材５が開口部４１を開いた状態の位置にあるときにストッパ４４に係止する。）ことにより、開閉部材５を閉じた状態の位置又は開いた状態の位置で保持できるようにしている。
【００２７】
このパウダー化粧料容器１は、パウダー化粧料が排出される開口部４１を開閉部材５で閉じておくことによって、携帯時にパウダー化粧料が中蓋４上に漏れ出ること、さらに、中蓋４の表面に残留するパウダー化粧料によってパウダー化粧料容器１が汚れることを防止することができるとともに、中蓋４の表面に摺接する開閉部材５に形成した突条部５１によって、中蓋４に沿って移動する開閉部材５の移動抵抗を小さくする、より具体的には、中蓋４と開閉部材５とが、面と面で摺接する場合と比較して、抵抗が小さくなるだけでなく、中蓋４と開閉部材５との間に入り込んだパウダー化粧料を中蓋４の表面に摺接する開閉部材５に形成した突条部５１によって浚えて移動させ易くなり、さらに、突条部５１によって開閉部材５の変形を防止することができ、中蓋４の操作性を良好に維持することができる。
【００２８】
以上、本考案のパウダー化粧料容器について、その実施例に基づいて説明したが、本考案は上記実施例に記載した構成に限定されるものではなく、その趣旨を逸脱しない範囲において適宜その構成を変更することができるものである。
【産業上の利用可能性】
【００２９】
本考案のパウダー化粧料容器は、中蓋の表面に残留するパウダー化粧料によってパウダー化粧料容器が汚れることを防止できることから、パウダー化粧料の容器の用途に好適に用いることができる。
【符号の説明】
【００３０】
１    パウダー化粧料容器
２    容器本体
３    収容部
４    中蓋
４１  開口部（丸孔状の開口部）
４２  凹部
４３  回動軸
４４  ストッパ
４５  開口部（長孔状の開口部）
５    開閉部材
５１  突条部
５２  操作部（つまみ）
５３  軸孔
５４ａ  係止突起
５４ｂ  係止突起
５５  突条部
６    蓋体
【図１】
0003163370.tif 000003
【図２】
0003163370.tif 000004
【図３】
0003163370.tif 000005
【図４】
0003163370.tif 000006
【図５】
0003163370.tif 000007